(57)【要約】【課題】  効果的に対象物の汚れを除去でき，香を歯に移すことができる清掃具を提供する。【解決手段】  この歯の清掃具１１は，樹脂発泡体で形成される清掃部３を有し，樹脂発泡体は香料を含む。好ましい例は，基体１と，清掃部３と，清掃部３を前記基体１に回転可能に取り付ける支持部５と，支持部５を回転駆動するための駆動部７と，を有する。そして，清掃部３は，香料を有する樹脂発泡体で形成されている。清掃具１１の例は，歯の清掃具（歯ブラシ）である。樹脂発泡体の例は，メラミン樹脂の発泡体である。【選択図】図１
2014121498.tif 000002
【特許請求の範囲】
【請求項１】
樹脂発泡体で形成される清掃部（３）を有する歯の清掃具（１１）であって，
前記樹脂発泡体は，香料を含む，
歯の清掃具（１１）。
【請求項２】
請求項１に記載の歯の清掃具（１１）であって，
前記樹脂発泡体は，メラミン樹脂発泡体である，
歯の清掃具（１１）。
【請求項３】
請求項１に記載の歯の清掃具（１１）であって，
基体（１）と，
前記清掃部（３）を前記基体（１）に回転可能に取り付ける支持部（５）と，
前記支持部（５）を回転駆動するための駆動部（７）と，
を更に有する，
歯の清掃具（１１）。
【請求項４】
請求項３に記載の歯の清掃具（１１）であって，
前記清掃部（３）は，円柱状部分（４）を有し，
前記支持部（５）は，前記円柱状部分（４）の径より小さな径を有する，清掃部収容部（６）を有し，
前記清掃部（３）は，前記清掃部収容部（６）に圧縮された状態で収容される，
歯の清掃具（１１）。
【請求項５】
請求項３又は請求項４に記載の歯の清掃具（１１）であって，
前記清掃部（３）は，交換可能である，
歯の清掃具（１１）。
【請求項６】
請求項１に記載の歯の清掃具（１１）であって，
包装容器に前記清掃部（３）が密封包装された，
歯の清掃具（１１）。
【発明の詳細な説明】
【技術分野】
【０００１】
本発明は，清掃部の発泡体が香料を含む歯の清掃具に関する。
【背景技術】
【０００２】
特開２００７−８２７７７号公報（特許文献１）には，樹脂製発泡材を用いた歯磨き具が開示されている。
【０００３】
特開２００７−９７７１４号公報（特許文献２）には，連続気孔を有するメラミン樹脂発泡体からなる擦掃部材を有する歯磨き具が開示されている。
【０００４】
このように，例えばメラミン樹脂の発泡体を清掃部分とした歯ブラシは，既に知られている。
【０００５】
意匠登録第１４４１０２１号公報（特許文献３）には，樹脂剤を有する電動式紙面清掃器が開示されている。
【０００６】
特開２０１１−２４４８４２号公報（特許文献４）には，電動モータでゴムカップである清掃体を回転させる歯面清掃器が開示されている。
【０００７】
実用新案登録第３１７０６４８号公報（特許文献５）には，メラミン樹脂発泡体からなる歯ブラシ（歯の清掃具）が開示されている。特表平９−５０５２１７号公報（特許文献６）には，剛毛に化学的に結合したポリマーと，ポリマーに化学的に結合した香料とからなる歯ブラシが開示されている。
【先行技術文献】
【特許文献】
【０００８】
【特許文献１】特開２００７−８２７７７号公報
【特許文献２】特開２００７−９７７１４号公報
【特許文献３】意匠登録第１４４１０２１号公報
【特許文献４】特開２０１１−２４４８４２号公報
【特許文献５】実用新案登録第３１７０６４８号公報
【特許文献６】特表平９−５０５２１７号公報
【発明の概要】
【発明が解決しようとする課題】
【０００９】
上記特許文献１〜５の歯の清掃具は，洗浄能力を高めることが望まれる。歯を清掃した後に，爽快感を与えられることが望まれる。上記特許文献６の歯ブラシでは，香料がポリマーに化学的に結合しているため，効果的に香料を歯に伝えることが難しい。
【課題を解決するための手段】
【００１０】
本発明は基本的には，香料を含んだ樹脂製の清掃部を有する歯ブラシであれば，香料を効果的に歯に移すことができ，しかも効果的に歯の汚れを除去できるという知見に基づく。
【００１１】
本発明は，歯の清掃具１１に関する。この清掃具１１は，樹脂発泡体で形成される清掃部３を有する歯の清掃具１１である。そして，樹脂発泡体は，香料を含む。香料は，香料を含む溶液を樹脂発泡体に滴下することにより，樹脂発泡体に含ませても良い。また，樹脂発泡体を香料を含む溶液に浸漬することで，香料を樹脂発泡体に含ませても良い。
【００１２】
本発明の歯の清掃具１１の好ましい例は，基体１と，清掃部３と，清掃部３を前記基体１に回転可能に取り付ける支持部５と，支持部５を回転駆動するための駆動部７と，を有する。そして，清掃部３は，樹脂発泡体で形成されている。清掃具１１の例は，歯の清掃具（歯ブラシ）である。樹脂発泡体の例は，メラミン樹脂の発泡体である。
【００１３】
本発明の清掃具１１の好ましい例は，清掃部３が，円柱状部分４を有するものである。そして，支持部５は，清掃部収容部６を有する。清掃部収容部６は，円柱状部分４の径より小さな径を有する。これにより，清掃部３は，清掃部収容部６に圧縮された状態で収容される。この態様の清掃具１１は，清掃部３を比較的容易に交換することができる。
【００１４】
本発明の清掃具１１の好ましい例は，包装容器に密封包装されたものである。この例の歯の清掃具１１は，例えば，基体１が存在しないか，清掃部３が基体として機能するもの（例えば，樹脂発泡体のみからなるもの）であってもよい。
【発明の効果】
【００１５】
電動式回転はブラシの清掃部に樹脂製の清掃部を取り付けることで，きわめて効果的に歯の汚れを除去できる。
【図面の簡単な説明】
【００１６】
【図１】図１は，本発明の歯の清掃具の例を示す概念図である。
【図２】図２は，清掃部及び支持部の例を説明するための図である。
【発明を実施するための形態】
【００１７】
本発明は，歯の清掃具１１に関する。この清掃具１１は，樹脂発泡体で形成される清掃部３を有する歯の清掃具１１である。そして，樹脂発泡体は，香料を含む。香料は，香料を含む溶液を樹脂発泡体に滴下することにより，樹脂発泡体に含ませても良い。また，樹脂発泡体を香料を含む溶液に浸漬することで，香料を樹脂発泡体に含ませても良い。
【００１８】
香料は天然あるいは合成源であってもよい。そのような香料としては，ペパーミント，スペアミント，ウィンターグリーン，シナモンなど；チェリー，ストロベリー，ライムなどの果物香料が挙げられる。練り歯磨きに用いる好ましい香料としては，ペパーミントおよびスペアミントが含まれる。
【００１９】
図１は，本発明の歯の清掃具の例を示す概念図である。図１に示されるように，この清掃具１１は，基体１と，清掃部３と，清掃部３を基体１に回転可能に取り付ける支持部５と，支持部５を回転駆動するための駆動部７と，を有する。そして，清掃部３は，樹脂発泡体で形成されている。清掃具１１の例は，歯の清掃具（歯ブラシ）である。樹脂発泡体の例は，メラミン樹脂の発泡体である。
【００２０】
特許文献１及び２の歯ブラシは，発泡体を有している。このため通常の歯ブラシでは除去できない汚れをも効果的に除去することができる。しかしながら，これらの歯ブラシはあくまで手動で歯磨きを行うものであるため，扱いが容易ではない。特許文献３の歯ブラシは，清掃部に存在する樹脂材が電動により振動等するため比較的容易に扱うことができる。特許文献４の歯ブラシは，ゴムカップを回転させるものであるため歯の汚れを効果的に除去できない。メラミン樹脂の発泡体が回転する歯の清掃具は，きわめて容易かつ協力に歯の汚れを除去できる。
【００２１】
基体１の例は，歯ブラシの本体部である。歯ブラシの本体部は使用者が手で把持する部位である。
【００２２】
清掃部３は，清掃する対象と接触し，対象物から汚れを除去するための部位である。市販されている歯ブラシにおいては，ブラシ部分が清掃部３に相当する。清掃部３は，樹脂発泡体で形成されている。樹脂発泡体の例は，特許文献１又は２に開示されたものである。もっとも，樹脂発泡体の好ましい例は，メラミン樹脂の発泡体である。清掃部３の例は円柱状の樹脂発泡体である。清掃部３の大きさは用途に応じて適宜調整すればよい。清掃具１１が歯ブラシ（歯の清掃具）の場合，清掃部３の最大直径の例は，５ｍｍ以上１５ｍｍ以下である。清掃部５は，例えば径の大きな円柱部４と，その下部に存在し円柱部４と同心であって円柱部４よりも直径の小さな円柱形状を有する接続部を有するものであっても良い。
【００２３】
支持部５は，清掃部３を基体１に回転可能に取り付ける部位である。支持部５の全部又は少なくとも清掃部３と接続されている部分は，駆動部７からの回転駆動を受けて回転し，これにより清掃部３が回転する。支持部５の例は，基体１に固定される支持部本体と，駆動部７からの回転駆動を伝え，清掃部３を収容するための清掃部収容部６とを有するものがあげられる。清掃部収容部６が回転することで，清掃部３も回転する。
【００２４】
駆動部７は，例えばモータと電源とを有し，電源からの電力によりモータの軸が回転し，この回転運動を支持部５を介して清掃部３へと伝える。なお，基体１と，清掃部３と，清掃部３を基体１に回転可能に取り付ける支持部５と，支持部５を回転駆動するための駆動部７と，を有する電動歯ブラシは，例えば特許文献４に開示されたとおり公知である。したがって，本発明においても公知の要素を適宜採用できる。
【００２５】
本発明の清掃具１１の好ましい例は，清掃部３が，円柱状部分４を有するものである。図２は，清掃部及び支持部の例を説明するための図である。図２に示される例では，清掃部は，円柱状部分４と支持体の清掃部収容部６に収容される被収容部分とを有する。そして，支持部５は，清掃部収容部６を有する。被収容部分は，例えば圧縮された状態で清掃部収容部６に収容される。清掃部収容部６は，円柱状部分４の径より小さな径（内系）を有する。これにより，清掃部３は，清掃部収容部６に圧縮された状態で収容される。この態様の清掃具１１は，清掃部３を比較的容易に交換することができる。
【００２６】
本発明の清掃具１１の好ましい例は，包装容器に密封包装されたものである。この例の歯の清掃具１１は，例えば，基体１が存在しないか，清掃部３が基体として機能するもの（例えば，樹脂発泡体のみからなるもの）であってもよい。例えば清掃部３が包装容器に密封包装される。歯の清掃具１１が清掃部３のみからなる場合は歯の清掃具１１全体が密封容器に収容されても良い。密封容器の例は，周囲を密封した金属箔や樹脂フィルムである。密封容器内に香料を含む液体を封入しておくことで樹脂発泡体に香料を含ませても良い。
【００２７】
メラミン樹脂発泡体スポンジは，無数の連続気孔を有することにより，水分または液体歯磨き剤を含浸することができる。また，メラミン樹脂発泡体スポンジは，材質特性により，歯の表面に付着した着色物質などを，効率良く除去することができる。メラミン樹脂発泡体スポンジは柔軟であるため，歯や歯茎が傷つけることなく，口腔洗浄をすることができる。
【００２８】
メラミン樹脂発泡体スポンジは，液体歯磨き剤を含浸させる工程の前か，もしくは後に，ブロック状に切り分けてもよい。例えば，メラミン樹脂発泡体スポンジは，長軸４ｃｍ，短軸１ｃｍ，厚さ０．５ｃｍの大きさの長方体に切り分けることができる。メラミン樹脂発泡体スポンジの大きさは，口腔清浄に適した大きさであれば良い。メラミン樹脂発泡体スポンジの大きさや形は上記に示したものに限定されない。
【００２９】
液体歯磨き剤を含浸したメラミン樹脂発泡体スポンジは，１つまたは１つ以上，包装容器に入れられ，密封包装される。包装容器には，メラミン樹脂発泡体スポンジを有する歯ブラシの他に，液体歯磨き剤を更に添加し，密封をすることもできる。密封には，ヒートシールによる密封方法が用いられる。
【００３０】
密封包装をした包装容器入りメラミン樹脂発泡体スポンジ歯ブラシは，必要であれば，殺菌工程により殺菌される。殺菌工程を経ることにより，液体歯磨き剤中の細菌の増殖を防ぐことができる。また，殺菌工程により，メラミン樹脂発泡体スポンジを加圧・加熱することができ，密度が高いメラミン樹脂発泡体スポンジを得ることができる。
【産業上の利用可能性】
【００３１】
本発明は，例えば歯ブラシに関するため，衛生具製造業において好ましく利用されうる。
【符号の説明】
【００３２】
１  基体
３  清掃部
４  円柱状部
５  支持部
６  清掃部収容部
７  駆動部
１１  清掃具
【図１】
2014121498.tif 000003
【図２】
2014121498.tif 000004